(57)【要約】【課題】災害時に適した照明として、照射範囲の異なる複数の照明タイプに容易に対応することができる携帯型照明装置を提供する。【解決手段】本発明の携帯型照明装置は、片面にそれぞれ複数の発光体１１、２１からなる発光領域１２、２２を有する第１発光部１０及び第２発光部２０と、これら各発光部１０、２０の各発光体１１、２２に電力を供給する電力供給部１００と、各発光部１０、２０の各発光領域１２、２２を互いに向かい合うように連結し且つ連結した部分を中心として各発光部１０、２０の相対する角度を無段階に設定可能な連結部３０とを備え、使用者が２つの発光部１０、２０の角度を適宜に設定することにより、用途に応じた異なる照明タイプでの照明を行うことができるように構成したことを特徴とする。【選択図】    図１
2007311055.tif 000002
【特許請求の範囲】
【請求項１】
片面にそれぞれ複数の発光体からなる発光領域を有する第１及び第２発光部と、
前記第１及び第２発光部の各発光体に電力を供給する電力供給部と、
前記第１及び第２発光部の各発光面を互いに向かい合うように連結し、且つ連結した部分を中心として前記第１及び第２発光部の相対する角度を無段階に設定可能な連結部と、
を備えることを特徴とする携帯型照明装置。
【請求項２】
前記連結部は少なくとも、
前記第１及び第２発光部の各発光面から発せられる光の照射方向が交差せず、且つ照射範囲が重複しない第１照明タイプと、
前記第１及び第２発光部の各発光面から発せられる光の照射方向が交差し、且つ照射範囲が重複しない第２照明タイプと、
前記第１及び第２発光部の各発光面から発せられる光の照射方向が交差し、且つ照射範囲が重複する第３照明タイプと、
を含む複数の照明タイプの中から任意の照明タイプを選択できるように前記第１及び第２発光部の相対する角度を設定可能なことを特徴とする請求項１に記載の携帯型照明装置。
【請求項３】
前記電力供給部は、前記第１及び第２発光部の相対する角度に応じて前記各発光体に供給する電力を制御する電力制御回路を備えることを特徴とする請求項１又は２に記載の携帯型照明装置。
【発明の詳細な説明】
【技術分野】
【０００１】
本発明は主に災害時に使用される照明装置に関するもので、詳しくは折り曲げ可能な携帯型照明装置に関する。
【背景技術】
【０００２】
近年、既存の懐中電灯に代わる携帯型照明装置として、消費電力が少ないＬＥＤ（発光ダイオード）やＥＬ（エレクトロルミネッセンス）等を光源とした照明装置や、これら照明装置に停電時でも充電可能な太陽電池を組み合わせた各種の照明装置が提案されている。
【０００３】
例えば、読書などの比較的狭い範囲を照らすのに適したものとして、光源とレンズ部とを連結し、この連結部分が可動で折りたためる構造とした照明装置（特許文献１〜３）が提案されている。また、夜間の屋外使用に適したものとして、発光部にＬＥＤやＥＬを使用したシート状の本体を立体的に組み立てて使用する折りたたみ式ＥＬランタン（特許文献４）や、ＬＥＤと太陽電池とを組み合わせた発光具（特許文献５）が提案されている。さらに、夜間の室内照明に適したものとして、複数の発光ダイオードの照射角度を選択できるようにした照明装置（特許文献６）が提案されている。
【特許文献１】特開２００３−１８７６０１号
【特許文献２】実開平４−７４８０１号
【特許文献３】特開昭６１−３２３０２号
【特許文献４】実用新案登録第３０６４５３１号
【特許文献５】実用新案登録第３０６１３８１号
【特許文献６】特開２００４−１５２６１８号
【発明の開示】
【発明が解決しようとする課題】
【０００４】
ところで、夜間に地震等の災害が発生した場合に適した照明としては、避難時に手に持って足元を照らす照明として使用するタイプのほか、避難先で照明装置本体の周囲を明るく照らす照明や、吊り下げるなどして手元を局所的に照らす照明の３タイプが考えられる。
【０００５】
このような異なる照明タイプの要求に対して、特許文献１〜３及び５に示された照明装置では狭い範囲しか照らすことができないため、災害用の照明として適していない。また特許文献４に示された装置では、周囲を照らすことはできるものの、避難時に足元を照らしたり、手元を局所的に照らすことが難しいという難点があった。さらに、特許文献６に示された照明装置では、避難時に持ち運びができないうえ、照射角度を変えるには工具を用いて本体を分解しなければならず、また照射角度は予め設定された複数の角度のうちから選択する構造であるため、照明角度を簡単に且つ任意に変えることは困難であった。
【０００６】
したがって、特許文献１〜６に示された照明装置は、いずれも上述した３つの照明タイプに対応できる照明具ではなかった。
【０００７】
本発明の目的は、一台で照射範囲の異なる複数の照明タイプに容易に対応することができる携帯型照明装置を提供することにある。
【課題を解決するための手段】
【０００８】
上述した課題を解決するために、請求項１に記載の携帯型照明装置は、片面にそれぞれ複数の発光体からなる発光領域を有する第１及び第２発光部と、前記第１及び第２発光部の各発光体に電力を供給する電力供給部と、前記第１及び第２発光部の各発光面を互いに向かい合うように連結し、且つ連結した部分を中心として前記第１及び第２発光部の相対する角度を無段階に設定可能な連結部とを備えることを特徴とする。
【０００９】
また、請求項２に記載の携帯型照明装置は、請求項１において、前記連結部は少なくとも、前記第１及び第２発光部の各発光面から発せられる光の照射方向が交差せず、且つ照射範囲が重複しない第１照明タイプと、前記第１及び第２発光部の各発光面から発せられる光の照射方向が交差し、且つ照射範囲が重複しない第２照明タイプと、前記第１及び第２発光部の各発光面から発せられる光の照射方向が交差し、且つ照射範囲が重複する第３照明タイプとを含む複数の照明タイプの中から任意の照明タイプを選択できるように前記第１及び第２発光部の相対する角度を設定可能なことを特徴とする。
【００１０】
さらに、請求項３の携帯型照明装置は、請求項１又は２において、前記電力供給部は、前記第１及び第２発光部の相対する角度に応じて前記各発光体に供給する電力を制御する電力制御回路を備えることを特徴とする。
【発明の効果】
【００１１】
請求項１に記載の携帯型照明装置によれば、第１発光部と第２発光部との相対する角度を無段階に設定することができるため、使用者が２つの発光部の角度を適宜に設定することにより、用途に応じた異なる照明タイプでの照明を行うことができる。
【００１２】
請求項２に記載の携帯型照明装置において、連結部の角度を第１照明タイプとなるように設定した場合は、光の照射方向がほぼ真下で且つほぼ円形の懐中電灯式の照射範囲となるため、避難時に足元を照らすのに適した照明とすることができる。また、連結部の角度を第２照明タイプとなるように設定した場合は、光の照射方向がそれぞれ左右に別れ且つ楕円形の全体照明式の照射範囲となるため、避難先において周囲を明るく照らしたい場合に適した照明とすることができる。さらに、連結部の角度を第３照明タイプに設定した場合は、光の照射方向がそれぞれ同一範囲を向き且つ楕円形のスポットライト式の照射範囲となるため、避難先において手元を局所的に照らしたい場合に適した照明とすることができ、とくに避難先で近接した場所にいる他の避難者に対してまぶしさを与えることなく必要な部分の照明を行うのに適した照明とすることができる。
【００１３】
請求項３に記載の携帯型照明装置では、第１発光部と第２発光部の相対する角度を大きくしたときに各発光体に供給する電力を大きくすることにより、各発光面を最も明るくすることができるため、前記第１照明タイプとして避難時に足元を照らすのにより適した照明となる。また、第１発光部と第２発光部の相対する角度を小さくしたときに各発光体に供給する電力を小さくすることにより、各発光面を照明に必要な最小限の明るさとすることができるため、避難先において手元を局所的に照らしたい場合に、明る過ぎない適度な照明とすることができる。さらに、第１発光部と第２発光部の相対する角度をその中間としたときには各発光体に供給する電力もほぼ中間となり、各発光面は中間の明るさとなるため、避難先において周囲を明るく照らしたい場合に、消費電力を抑えながら必要な明るさを確保することができる。
【発明を実施するための最良の形態】
【００１４】
以下、本発明に係わる携帯型照明装置の最良の実施形態を図面に基づいて説明する。図１は本実施形態に係わる携帯型照明装置の外観斜視図であり、（ａ）は装置本体を右斜め方向から見たときの斜視図、（ｂ）は左斜め方向から見たときの斜視図をそれぞれ示している。
【００１５】
本実施形態に係わる携帯型照明装置１は、照明光を照射する第１発光部１０と、同じく照明光を照射する第２発光部２０と、第１発光部１０及び第２発光部２０を連結する連結部３０と、装置を掴むときに用いるハンドル部４０とを備えている。
【００１６】
第１発光部１０は、図１（ａ）に示すように、一方の面に複数の発光体１１が埋め込まれるように配置され、この部分が照明光を照射する発光領域１２となっている。発光体１１としては、例えばＬＥＤ、ＥＬもしくは同等の機能を有する発光部材を用いることができる。そして、これらの発光体１１の表面は透明（又は半透明）の樹脂パネル１３で覆われている。また、第１発光部１０は、図１（ｂ）に示すように、発光領域１２と反対側の面に太陽光や蛍光灯の光を電気エネルギーに変換する太陽電池パネル１４が設けられている。さらに、第１発光部１０の上端部には連結部３０と連結するための凸部１５が形成されている。
【００１７】
第２発光部２０は、図１（ｂ）に示すように、一方の面に複数の発光体２１が埋め込まれるように配置され、この部分が照明光を照射する発光領域２２となっている。発光体２１は上述した発光体１１と同じものである。そして、これらの発光体２１の表面は透明（又は半透明）の樹脂パネル２３で覆われている。また、第２発光部２０は、図１（ａ）に示すように、発光領域２２と反対側の面に太陽光や蛍光灯の光を電気エネルギーに変換する太陽電池パネル２４が設けられている。また、第２発光部２０の上端部には連結部３０と連結するための凸部２５が形成されている。さらに第２発光部２０の側面には、本装置１のオン（点灯）、オフ（充電）を切り換える電源スイッチ２６が設けられている。
【００１８】
連結部３０は、第１発光部１０と第２発光部２０とを連結する部分であり、向かい合うように配置された各発光部の凸部１５、２５を両側から挟み込むように連結する第１連結部材３１、第２連結部材３２を備えている。各連結部材には２つの図示しない貫通穴が並列に形成され、また各発光部の凸部１５、２５にも図示しない貫通穴が形成されている。そして、これら貫通穴を貫くように連結用の図示しない回動軸が並列に２本挿入されている。これによって、第１発光部１０と第２発光部２０はそれぞれの発光領域１２、２２が互いに向かい合うように連結され、連結部３０を中心として各発光部の相対する角度が無段階に設定可能となっている。
【００１９】
上述した第１発光部１０及び第２発光部２０の外枠部分、連結部３０、ハンドル部４０は、おもに樹脂部材や金属部材により構成することができる。また、樹脂部材と金属部材とを組み合わせた構成としてもよい。
【００２０】
次に、上記のように構成された携帯型照明装置１を３つの照射タイプに対応させる場合について説明する。
【００２１】
図２（ａ）〜（ｃ）は第１発光部１０と第２発光部２０との相対する角度を各照明タイプに応じて設定したときの側面図であり、（ａ）は第１照明タイプ、（ｂ）は第２照明タイプ、（ｃ）は第３照明タイプにそれぞれ設定した例を示している。また、図３（ａ）〜（ｃ）は上記図２（ａ）〜（ｃ）のそれぞれの照明タイプにおける光の照射方向と照射範囲を示す模式図である。以下、各照明タイプについて説明する。
【００２２】
［１］第１照明タイプ
図２（ａ）に示すように、第１発光部１０と第２発光部２０とを１８０度の角度に開いて２つの発光部が水平になるように設定すると、図３（ａ）に示すように、各発光部の発光領域から発せられる光の照射方向は互いに交差せず、且つ照射範囲が重複しない懐中電灯式の第１照明タイプとなる。この第１照明タイプでは、光の照射方向がほぼ真下となり、且つほぼ円形の照射範囲となるため、例えば避難時に照明装置１のハンドル部４０を手で持って足元を照らすのに適した照明となる。
【００２３】
［２］第２照明タイプ
図２（ｂ）に示すように、第１発光部１０と第２発光部２０とをθ１（＜９０度）の角度に開いて２つの発光部が鋭角になるように設定すると、図３（ｂ）に示すように、各発光部の発光領域から発せられる光の照射方向が互いに交差し、且つ照射範囲が重複しない全体照明式の第２照明タイプとなる。この第２照明タイプでは、光の照射方向がそれぞれ左右に別れ、且つ楕円形の照射範囲となるため、例えば避難先において照明装置１の周囲を明るく照らしたい場合に適した照明となる。
【００２４】
［３］第３照明タイプ
図２（ｃ）に示すように、第１発光部１０と第２発光部２０とをθ２（＞θ１）の角度に開いて２つの発光部が鈍角になるように設定すると、図３（ｃ）に示すように、各発光部の発光領域から発せられる光の照射方向が互いに交差、且つ照射範囲が重複する（重なり合う）スポットライト式の第３照明タイプとなる。この第３照明タイプでは、光の照射方向がそれぞれ同一範囲を向くことになり、且つ楕円形の照射範囲となるため、例えば避難先において照明装置１を吊るすなどして筆記時の手元を局所的に照らしたい場合に適した照明となる。このように、第３照明タイプでは避難先で近接した場所にいる他の避難者に対してまぶしさを与えることなく必要な部分の照明を行うことができる。
【００２５】
上記実施形態では、携帯型照明装置１を災害時の基本的な使用形態となる３つの照射タイプに対応させた例について説明したが、第１発光部１０と第２発光部２０との相対する角度は無段階に設定可能であるため、上記以外の使用形態にも対応させることができる。例えば、図４に示すように、第１発光部１０と第２発光部２０とを背中合わせに折りたたむことにより、光の照射方向が互いに左右に分かれるため、照明器具として使用することができる。さらに、この状態で片方の発光部を１８０度回転させることにより、光の照射方向を右側又は左側の一方向に揃えることができる。
【００２６】
また、本実施形態に係わる携帯型照明装置１では、第１発光部１０と第２発光部２０の外側の面に太陽電池パネル１４、２４を配置しているため、図５に示すように、第１発光部１０と第２発光部２０とを１８０度の角度に開くことにより、太陽電池パネル１４、２４がともに同じ方向を向くようにして充電を行うことができる。したがって、太陽電池パネルが一方の側にしか配置されていない照明装置のように充電面を特定する必要がなく、また充電時間を太陽電池パネルが一枚の場合に比べて約半分に短縮することができる。
【００２７】
さらに、本実施形態の携帯型照明装置１は、第１発光部１０と第２発光部２０とが向かい合わせとなるように二つ折りにたたむことによって、本体をコンパクトにすることができる。そして、この状態でハンドル部４０を掴む、もしくは吊り下げることにより容易に持ち運びが可能となる。また、このように二つ折りにたたんだ場合でも、いずれか一方の太陽電池パネルを外側に向けることができるため、本体のどちらの面が外側に向いていても確実に充電を行うことができる。例えば、昼間に窓際のカーテンレールに吊り下げておいたり、ランドセルなどに吊り下げたりしても充電可能である。さらに、照明装置１の向きを気にすることなく光が照明装置１に当たるように置いておくだけで充電することができるというメリットがある。
【００２８】
次に、各発光部１０、２０に電力を供給する電力供給部の構成について説明する。
【００２９】
図６は電力供給部１００の全体構成を示す回路図である。図６に示すように、電力供給部１００は、太陽電池パネル１４、２４と、電源スイッチ２６と、この電源スイッチ２６と連動する第１スイッチ１１０、第２スイッチ１３０と、昇圧回路１２０及び充電電池１４０とを備えて構成されている。
【００３０】
図６において、第１スイッチ１１０の一方の入力端は太陽電池パネル１４、２４と接続され、他方の入力端は充電電池１４０の出力側と接続されている。また、第２スイッチ１３０の一方の出力端は充電電池と接続され、他方の出力端は発光体１１、２２と接続されている。また昇圧回路１２０は第１スイッチ１１０の出力端及び第２スイッチ１３０の入力端とそれぞれ接続されている。そして、第１スイッチ１１０と第２スイッチ１３０は電源スイッチ２６により連動して接続方向が切り替えられるように構成されている。
【００３１】
上記構成において、充電電池１４０に充電する場合は電源スイッチ２６をオフ側に切り替える。これにより、太陽電池パネル１４、２４と昇圧回路１２０の入力側が導通し、また昇圧回路１２０の出力側と充電電池１４０の入力側が導通して、太陽電池パネル１４、２４から充電電池１４０への経路が確立される。このように、電源スイッチ２６をオフ側に切り替えると、太陽電池パネル１４、２４で発電された電力が昇圧回路１２０で昇圧された後、充電電池１４０に充電されることになる。
【００３２】
また、発光体１１、２２を点灯させる場合は電源スイッチ２６をオン側に切り替える。これにより、充電電池１４０の出力側と昇圧回路１２０の入力側が導通し、また昇圧回路１２０の出力側と発光体１１、２２とが導通して、充電電池１４０から発光体１１、２２への経路が確立される。このように、電源スイッチ２６をオン側に切り替えると、充電電池１４０に充電された電力が昇圧回路１２０で昇圧された後、発光体１１、２２に出力されるため、各発光部１０、２０が点灯することになる。
【００３３】
このような電源スイッチ２６とすることにより、充電時には発光体１１、２２に一切導通させることなく、太陽電池パネル１４、２４の電力を充電池１４０に充電させることができる。
【００３４】
ここで、昇圧回路１２０の構成について説明する。図７は昇圧回路１２０の構成を示す回路図である。この昇圧回路１２０は、コイル１２１、ダイオード１２２、コンデンサ１２３、トランジスタ１２４、発振回路１２５を組み合わせた回路となっている。図７において、トランジスタ１２４のゲートがオフの間に入力（ＩＮ）に加えられた電圧はコンデンサ１２３に充電される。続いて、トランジスタ１２４のゲートがオンするとコイル１２１に電力が蓄えられ、トランジスタ１２４のゲートがオフになると蓄えられた電力によりコイル１２１の両端が高電圧となる。そして、トランジスタ１２４のゲートが再びオンするとコイル１２１から放出された電圧とコンデンサ１２３の電圧とが加算されて出力（ＯＵＴ）から取り出される。上記昇圧動作において、トランジスタ１２４のゲートは発振回路１２５からの出力（０／１）により高速でオン・オフを繰り返すため、出力からは昇圧されたほぼ一定の電圧が取り出されることになる。
【００３５】
以上説明したように、本実施形態に係わる携帯型照明装置１によれば、第１発光部１０と第２発光部２０との相対する角度を無段階に設定することができるため、使用者が２つの発光部の角度を適宜に設定することにより、用途に応じた異なる照明タイプでの照明を行うことができる。
【００３６】
例えば、第１発光部１０と第２発光部２０とを１８０度の角度に開いて２つの発光部が水平になるように設定した場合は、各発光部の発光領域から発せられる光の照射方向は互いに交差せず、且つ照射範囲が重複しない懐中電灯式の第１照明タイプとすることができるため、光の照射方向がほぼ真下で且つほぼ円形の照射範囲となり、避難時に足元を照らすのに適した照明となる。
【００３７】
また、第１発光部１０と第２発光部２０とをθ１（＜９０度）の角度に開いて２つの発光部が鋭角になるように設定した場合は、各発光部の発光領域から発せられる光の照射方向が互いに交差し、且つ照射範囲が重複しない全体照明式の第２照明タイプとすることができるため、光の照射方向がそれぞれ左右に別れ、且つ楕円形の照射範囲となり、避難先において周囲を明るく照らしたい場合に適した照明となる。
【００３８】
さらに、第１発光部１０と第２発光部２０とをθ２（＞θ１）の角度に開いて２つの発光部が鈍角になるように設定した場合は、各発光部の発光領域から発せられる光の照射方向が互いに交差し、且つ照射範囲が重複するスポットライト式の第３照明タイプとすることができるため、光の照射方向がそれぞれ同一範囲を向き、且つ楕円形の照射範囲となって、例えば避難先において手元を局所的に照らしたい場合に適した照明となる。このように、第３照明タイプでは避難先で近接した場所にいる他の避難者に対してまぶしさを与えることなく必要な部分の照明を行うことができる。
【００３９】
また、本実施形態の電力供給部１００においては、充電時の昇圧と放電（点灯）時の昇圧を１つの昇圧回路１２０で兼用することができるので、部品の削減を図ることができる。
【００４０】
次に、第１発光部１０と第２発光部２０の相対する角度に応じて発光体１１、２２明るさを変化させるようにした実施形態について説明する。
【００４１】
図８は、昇圧回路１２０に設けられた電力制御回路１５０の構成を示す回路図である。電力供給部１００全体の構成は図６と同じであるため説明を省略する。図８に示すように、電力制御回路１５０は、発振回路１２５に対して並列に接続にされた固定抵抗１５１及び可変抵抗１５２と、発振回路１２５と接続する抵抗をいずれか一方に切り替えるモード切替えスイッチ１５３とを備えて構成されている。
【００４２】
固定抵抗１５１は、第１発光部１０と第２発光部２０の相対する角度に係わらず一定の抵抗値を示す抵抗素子である。可変抵抗１５２は、第１発光部１０と第２発光部２０の相対する角度に応じて抵抗値が無段階に変化する抵抗素子である。この可変抵抗１５２は連結部３０に内蔵され、２つの発光部の開度に応じて接触部分の面積が変化することにより抵抗値を変える構造となっている。
【００４３】
本実施形態における可変抵抗１５２の抵抗値は、２つの発光部の相対する角度が大きくなると抵抗値が小さくなり、角度が小さくなると抵抗値が大きくなるように設定されている。
【００４４】
例えば図２（ａ）に示すように、第１発光部１０と第２発光部２０とを１８０度の角度（１８０度以上を含む）に開いたときに抵抗値が最も小さくなり、図２（ｃ）に示すように、第１発光部１０と第２発光部２０とをθ２（＞θ１）の角度（θ２以下を含む）に開いたときに抵抗値が最も大きくなる。そして、図２（ｂ）に示すように、第１発光部１０と第２発光部２０とをθ１（＜９０度）の角度に開いたときには抵抗値はその中間となる。
【００４５】
モード切替えスイッチ１５３は、２つの発光部の角度に係わらず同じ明るさで点灯させるモードと、２つの発光部の角度に応じて明るさを変化させるモードを切り替えるためのスイッチ素子であり、例えば電源スイッチ２６の近傍に設けられている。
【００４６】
上記構成において、モード切替えスイッチ１５３を可変抵抗１５２側に切り替えると、２つの発光部の開度に応じて抵抗値が変化して、発振回路１２５の周波数が変化する。例えば、第１発光部１０と第２発光部２０とを１８０度の角度に開いたときには抵抗値が小さくなり、接続する発振回路１２５の周波数は高くなる。このように周波数が高くなると昇圧回路１２０で昇圧される電圧も高くなり、発光体１１、２２に供給される電力が増えて各発光部１０、２０から照射される照明光は最も明るくなる。また、第１発光部１０と第２発光部２０とをθ２（＞θ１）の角度に開いたときには抵抗値が大きくなり、接続する発振回路１２５の周波数は低くなる。このように周波数が低くなると昇圧回路１２０で昇圧される電圧も低くなり、発光体１１、２２に供給される電力が減って、各発光部１０、２０から照射される照明光は照明に必要な最小限の明るさとなる。同様に、第１発光部１０と第２発光部２０とをθ１（＜９０度）の角度に開いたときには、各発光部１０、２０から照射される照明光はほぼその中間の明るさとなる。
【００４７】
また、モード切替えスイッチ１５３を固定抵抗１５１側に切り替えた場合は、２つの発光部の開度に係わらず抵抗値が変化しないため、各発光部１０、２０から照射される照明光は常に同じ明るさとなる。
【００４８】
したがって、昇圧回路１２０に電力制御回路１５０を設けた実施形態によれば、第１発光部１０と第２発光部２０とを１８０度の角度に開いたときには各発光部１０、２０から照射される照明光は最も明るくなるため、懐中電灯式の第１照明タイプとして避難時に足元を照らすのにより適した照明となる。
【００４９】
また、第１発光部１０と第２発光部２０とをθ２（＞θ１）の角度に開いたときに各発光部１０、２０から照射される照明光は照明に必要な最小限の明るさとなるため、避難先において手元を局所的に照らしたい場合に、明る過ぎない適度な照明とすることができる。
【００５０】
さらに、第１発光部１０と第２発光部２０とをθ１（＜９０度）の角度に開いたときには、各発光部１０、２０から照射される照明光はほぼその中間の明るさとなるため、避難先において周囲を明るく照らしたい場合に、消費電力を抑えながら必要な明るさを確保することができる。
【００５１】
なお、本実施形態では電力供給部１００として、太陽電池パネルで発電した電力を充電して使用する例について示したが、電源は太陽電池パネルに限らず、一般的な乾電池や充電池を用いることもできるし、太陽電池パネルとこれら電池を組み合わせた構成としてもよい。
【図面の簡単な説明】
【００５２】
【図１】実施形態に係わる携帯型照明装置の外観斜視図。（ａ）は装置本体を右斜め方向から見たときの斜視図。（ｂ）は左斜め方向から見たときの斜視図。
【図２】第１発光部と第２発光部との相対する角度を各照明タイプに応じて設定したときの側面図。（ａ）は第１照明タイプに設定したときの側面図。（ｂ）は第２照明タイプに設定したときの側面図。（ｃ）は第３照明タイプに設定したときの側面図。
【図３】（ａ）〜（ｃ）は図２（ａ）〜（ｃ）のそれぞれの照明タイプにおける光の照射方向と照射範囲を示す模式図。
【図４】第１発光部と第２発光部とを背中合わせに折りたたんだ状態を示す斜視図。
【図５】第１発光部と第２発光部とを１８０度の角度に開いたときの状態を示す斜視図。
【図６】電力供給部の全体構成を示す回路図。
【図７】昇圧回路の構成を示す回路図。
【図８】昇圧回路に設けられた電力制御回路の構成を示す回路図。
【符号の説明】
【００５３】
１…携帯型照明装置
１０…第１発光部
１１、２１…発光体
１２、２２…発光領域（発光面）
１３、２３…樹脂パネル
１４、２４…太陽電池パネル
１５、２５…凸部
２０…第２発光部
２６…電源スイッチ
３０…連結部
３１…第１連結部材
３２…第２連結部材
４０…ハンドル部
１００…電力供給部
１１０…第１スイッチ
１２０…昇圧回路
１２１…コイル
１２２…ダイオード
１２３…コンデンサ
１２４…トランジスタ
１２５…発振回路
１３０…第２スイッチ
１４０…充電電池
１５０…電力制御回路
１５１…固定抵抗
１５２…可変抵抗
１５３…モード切替えスイッチ
【図１】
2007311055.tif 000003
【図２】
2007311055.tif 000004
【図３】
2007311055.tif 000005
【図４】
2007311055.tif 000006
【図５】
2007311055.tif 000007
【図６】
2007311055.tif 000008
【図７】
2007311055.tif 000009
【図８】
2007311055.tif 000010